(57)【特許請求の範囲】
【請求項１】
昇降可能に開閉用ワイヤロープに吊られ、昇降動作により水路の開閉を行うゲートと、
前記ゲートの上方に設置され、前記開閉用ワイヤロープを巻き上げて前記ゲートを上昇させ、巻き下げることで前記ゲートを下降させる巻上装置と、
一端が前記ゲートに固定され、水路を閉じた位置であるゲートの最低位置と前記巻上装置の設置位置直下であるゲートの最高位置との間の長さよりも短い長さで、該一端から立ち上がって他端側が上方に延びる休止用ワイヤロープと、
前記休止用ワイヤロープを立ち上がった状態に保持する保持手段と、
前記巻上装置の設置位置近傍に設置され、前記ゲートの上昇に伴って前記巻上装置の設置位置近傍の高さにまで到達した前記休止用ワイヤロープの他端と脱着可能に連結する連結具とを備えることを特徴とするゲート装置。
【請求項２】
前記保持手段は、前記休止用ワイヤロープを上方に引張する補助ワイヤロープと、該補助ワイヤロープの張力を支持する滑車及び重りとを備えることを特徴とする請求項１に記載のゲート装置。
【請求項３】
前記補助ワイヤロープは、筒状体の中を通して吊り下げられていることを特徴とする請求項２に記載のゲート装置。
【請求項４】
前記巻上装置及び前記連結具は、前記ゲートの上方に設置される格納小屋内に収容されることを特徴とする請求項１乃至３のいずれか一項に記載のゲート装置。
【請求項５】
前記休止用ワイヤロープは、水路を閉じた位置であるゲートの最低位置と前記巻上装置の設置位置直下であるゲートの最高位置との間のほぼ中間位置にゲートを上昇させると、前記休止用ワイヤロープの他端が前記巻上装置の設置位置近傍の高さにまで到達する長さを有することを特徴とする請求項１乃至４のいずれか一項に記載のゲート装置。
【請求項６】
前記ゲート装置は、水力発電所等の水門設備におけるゲート装置であることを特徴とする請求項１乃至５のいずれか一項に記載のゲート装置。
【請求項７】
請求項１乃至５のいずれか一項に記載のゲート装置におけるゲート休止方法において、
前記ゲートを前記巻上装置により上昇させ、
前記ゲートの上昇に伴って前記巻上装置の近傍の高さにまで到達した休止用ワイヤロープの他端を連結具に連結させ、
前記ゲートを、前記開閉用ワイヤロープに代わって、前記休止用ワイヤロープにより吊持させて休止させることを特徴とするゲート休止方法。
【請求項８】
請求項６に記載のゲート装置におけるゲート休止方法において、放水路立坑を昇降する前記ゲートを、放水路の底部から前記巻上装置が設置されている放水路立坑上部までの高さのほぼ中間位置で前記休止用ワイヤロープにより吊持させて休止させることを特徴とするゲート休止方法。
【発明の詳細な説明】
【技術分野】
【０００１】
本発明は、ワイヤロープ式水門設備におけるゲートを休止させるゲート装置及びそのゲート休止方法に関する。
【背景技術】
【０００２】
水力発電所などに設置される水門設備は、可動式のゲートの開閉によって流れる水を堰き止め、さらに水の流れや量を制御するためのゲート装置を備える。
【０００３】
以下に、本発明に至った背景技術をダム式水力発電所放水路水門設備の実例について説明する。図７は、ダム式水力発電所の概略図を示す図であり、取水口から管路を流れる水は、発電所で発電のために用いられ、放水路から河川へ放水されるが、一般的には放水路と河川を遮断する水門設備（ゲート）が設けられる。
【０００４】
ゲートの開閉方式として、例えば特許文献１に開示されるワイヤロープ式が知られており、本例の水力発電所においては、放水路立坑内部でワイヤロープで吊り下げられたゲートを、そのゲートの上方に設置された巻上装置により昇降させることで、ゲートの開閉が行われる。巻上装置は、ワイヤロープで吊り下げられたゲート上方の放水路立坑上部に設置された格納小屋（放水路上屋）内に格納され、モータ駆動のワイヤドラムを回転させてワイヤロープを巻き出し・巻き取りすることで、ゲートを昇降させる。
【０００５】
このワイヤロープ式ゲート装置において、ワイヤロープの長期的な荷重負担を軽減するために、長期にわたってゲートの開閉を行わない場合は、ゲート開閉用ワイヤロープに対するゲートの荷重負荷を解放するために、ワイヤロープに代わってゲートの荷重を支持してゲートを休止させる休止装置が設けられる場合がある（特許文献２）。
【０００６】
特許文献２に開示される水門扉休止装置では、ゲートを巻上装置付近の最上部まで上昇させ、昇降用のワイヤロープとは別にゲートから立設された立腕と、巻上装置設置床面から懸垂された懸垂腕とを係合させることで、ゲートの荷重を支持する休止機構が設けられている。
【先行技術文献】
【特許文献】
【０００７】
【特許文献１】特開２００９−２４９８３２号公報
【特許文献２】特公昭４９−４７４４号公報
【発明の概要】
【発明が解決しようとする課題】
【０００８】
本例の水力発電所の放水路水門設備では、放水路から巻上装置が設置される放水路立坑上部までの高さは約１７ｍに及び、ゲートを引き上げ可能な放水路立坑上部直下の最上部まで上昇させると、ワイヤロープのほぼ全長を巻き取ることになり、巻上装置のワイヤドラムが大きくなり、巻上装置が大型化するという問題が生じる。
【０００９】
また、巻上装置が設置される放水路立坑上部では、巻上装置を格納する格納小屋（放水路上屋）の設置スペースも含めてその立坑上部のスペースが限られており、メンテナンス作業のための作業スペースを確保するために、巻上装置の小型化が必要であるが、巻上装置の構造上、小型化が可能な部位は、ワイヤドラムの部位である。このワイヤドラムを小型化するには、巻き取るワイヤロープの長さを短くする必要があり、そのためには、ゲートを放水路立坑上部直下の最上部まで引き上げずに、その途中のできるだけ低い位置でゲートを休止させる必要がある。このような低い位置でゲートを休止させる場合、水力発電所の放水路水門設備では、ゲートから放水路立坑上部までの長さが少なくとも１０ｍ以上もの間隔が空いてしまうため、放水路立坑上部直下でゲートの荷重支持の切換が行われる上記特許文献２に記載の休止機構を採用することは困難である。
【００１０】
そこで、本発明の目的は、特に水力発電所などにおける高揚程の（開閉用ワイヤロープの巻き出し・巻き取りが大きい）水門設備におけるゲート装置に係り、ゲートを途中位置で休止させる新規なゲート装置及びそのゲート休止方法を提供することにある。
【００１１】
本発明者らは、上記課題を解決するために鋭意検討を重ねたところ、放水路立坑の途中でゲートを休止させる手法として、ゲート開閉用ワイヤロープと別の休止用ワイヤロープをあらかじめ吊り下げておき、これにゲートの上端部位置を連結する手法を工夫したが、この手法を採用する場合、休止用ワイヤロープとゲートとの連結のために、放水路立坑の途中位置まで（引き上げたゲートの位置（高さ）まで）昇降設備（足場）を設置する必要があるため、その高さでの作業スペースの確保や作業員の安全性のほかに、設備費及び維持管理等のいずれの面からみても、この手法を採用することに問題があることが判明した。そのため、発明者らは、さらに創意・工夫を行ったところ、休止用ワイヤロープの上方先端付近に補助ワイヤロープを取り付けるとともに、この補助ワイヤロープによって休止用ワイヤロープを上方に立ち上がった状態に保持すれば、作業員が格納小屋内において休止用ワイヤロープとゲート上端部との連結作業を容易に行うことができることを知見し、本発明に至ったものである。
【課題を解決するための手段】
【００１２】
すなわち、上記目的を達成するための本発明のゲート装置は、昇降可能に開閉用ワイヤロープに吊られ、昇降動作により水路の開閉を行うゲートと、ゲートの上方に設置され、開閉用ワイヤロープを巻き上げてゲートを上昇させ、巻き下げることでゲートを下降させる巻上装置と、一端がゲートに固定され、水路を閉じた位置であるゲートの最低位置と巻上装置の設置位置直下であるゲートの最高位置との間の長さよりも短い長さで該一端から立ち上がって他端側が上方に延びる休止用ワイヤロープ（チェーン等でも代用可だが、以下、休止用ワイヤロープと呼ぶ）と、休止用ワイヤロープを立ち上がった状態に保持する保持手段と、巻上装置の設置位置近傍に設置され、ゲートの上昇に伴って巻上装置の設置位置近傍の高さにまで到達した休止用ワイヤロープの他端と脱着可能に連結する連結具とを備えることを特徴とする。
【００１３】
また、上記のゲート装置におけるゲート休止方法は、ゲートを巻上装置により上昇させ、ゲートの上昇に伴って巻上装置の近傍の高さにまで到達した休止用ワイヤロープの他端を連結具に連結させ、ゲートを、前記開閉用ワイヤロープに代わって、前記休止用ワイヤロープにより吊持させることを特徴とする。
【発明の効果】
【００１４】
本発明のゲート装置及びゲート休止方法によれば、放水路立坑を昇降するゲートをその放水路立坑の途中位置（例えば中間位置付近）で休止させることで、開閉用ワイヤロープを巻き取る長さを相対的に短くすることができるため、巻上装置の小型化が可能であり、巻上装置のコストの低減化や格納小屋内での広い作業スペースの確保と作業の効率化を図ることができる。
【００１５】
また、ゲートを放水路立坑の途中（例えば中間位置付近）で休止させる場合に、ワイヤロープの切り替え作業が格納小屋内で行うことができるため、従来の作業用足場が不要であり、大幅なコスト減と作業員の高い安全性の確保を達成することができる。
【図面の簡単な説明】
【００１６】
【図１】本発明の形態におけるゲート装置の概略構成例を示す図である。
【図２】固定部１０ｂの構成例を示す図である。
【図３】連結具１８の構成例を示す図である。
【図４】保持手段２０の構成例を示す図である（休止用ワイヤロープ１６と連結具１８が非連結状態の場合）。
【図５】保持手段２０の構成例を示す図である（休止用ワイヤロープ１６と連結具１８が連結されている状態）。
【図６】休止用ワイヤロープ１６と保持手段２０の位置関係を模式的に示す図である。
【図７】ダム式水力発電所の概略を示す図である。
【発明を実施するための形態】
【００１７】
以下、図面を参照して本発明の実施の形態について説明する。しかしながら、かかる実施の形態例が、本発明の技術的範囲を限定するものではない。
【００１８】
図１は、本発明の実施の形態におけるゲート装置の概略構成例を示す図である。図１において、ゲート装置は、例えば水力発電所の放水路水門設備において、放水路立坑を昇降動作することにより放水路の開閉を行う鋼製のゲート１０と、それを昇降可能に吊る鋼製の開閉用ワイヤロープ１２と、ゲート１０の上方に設置されて開閉用ワイヤロープ１２を巻き上げる巻上装置１４と、開閉用ワイヤロープ１２とは別にゲート１０の上端部分に固定されて上方に延びて配置される休止用ワイヤロープ１６と、巻上装置１４の設置位置近傍で休止用ワイヤロープ１６と脱着可能に連結する連結具１８と、休止用ワイヤロープ１６を上方に延びた状態に保持する保持手段としての補助ワイヤロープ２０ａ、滑車２０ｂ及び重り２０ｃとを有して構成される。
【００１９】
ゲート１０は、ゲート上部に取り付けられた左右一組の動滑車１０ａにより放水路立坑を昇降可能に左右一組の開閉用ワイヤロープ１２に吊られ、放水路立坑上部に設置された巻上装置１４が開閉用ワイヤロープ１２を巻き上げることで、ゲート１０を上昇させ、また、巻き下げることでゲート１０を下降させる。
【００２０】
ゲート１０の上端部には、開閉用ワイヤロープ１２とは別の左右一組の休止用ワイヤロープ１６の一端を固定するための左右一組の固定部１０ｂが設置され、休止用ワイヤロープ１６の一端は、固定部１０ｂに連結固定される。
【００２１】
図２は、固定部１０ｂの構成例を示す図であり、図２（ａ）は、ゲート１０に固定された固定部１０ｂを示し、図２（ｂ）は、固定部１０ｂを含む図２（ａ）の点線囲み部分の拡大側面図である。固定部１０ｂは、ゲート１０の上端面に固定された吊り金物であり、シャックル１１を介して休止用ワイヤロープ１６と連結する。開閉用ワイヤロープ１２は、ゲート１０の上端面に固定された動滑車１０ａに巻かれ、巻上装置１４により巻き上げ又は巻き下げられ、ゲート１０の側端部に取り付けられたガイドローラ１０ｃにより、ガイド１０ｄに沿って昇降する。
【００２２】
休止用ワイヤロープ１６は、ゲート１０を放水路立坑上部の直下まで上昇させずに、放水路立坑の途中高さ位置でゲートを休止させることができる長さを有し、例えば、休止位置は、放水路を閉じた位置であるゲートの最低位置と前記巻上装置の設置位置直下であるゲートの最高位置との間のほぼ中間位置である。放水路の底部（ゲート最低位置）から放水路立坑上部（ゲート最高位置）までの高さが例えば１７ｍ程度であって、放水路立坑のほぼ中間位置（放水路の底部から高さ１０ｍ付近）でゲートを休止させることを想定した場合、ゲート１０自体の高さ（約３ｍ）も考慮して、約７ｍ程度の長さで調整される。休止位置は、放水路立坑の中間位置よりも低い位置若しくは高い位置を休止位置とすることもできる。
【００２３】
休止用ワイヤロープ１６は、鋼製ワイヤロープであり、その一端が固定部１０ｂに固定され、一端側から上方に立ち上がった状態で延びており、休止用ワイヤロープ１６の他端は、ゲート１０の上昇により放水路立坑上部にまで到達すると、放水路立坑上部に固定された連結具１８と脱着可能に連結する。連結具１８はフック装置であって、巻上装置１４の側面に固定されて設置され、若しくは巻上装置１４に隣接してその設置位置近傍に固定されて設置される。
【００２４】
図３は、連結具１８の構成例を示す図であり、図３（ａ）は、放水路立坑上部の巻上装置１４の設置位置に取り付けられた連結具１８を示し、図３（ｂ）は、連結具１８を含む図３（ａ）の点線囲み部分の拡大正面図及び拡大側面図である。連結具１８は、巻上装置１４の側面又は巻上装置１４の設置床面に固定されたシャックル１８ａと連結したフック装置であり、休止用ワイヤロープ１６の上方に延びている先端部分がフック装置まで到達すると、作業員は、放水路立坑上部の格納小屋（放水路上屋）内での作業により、休止用ワイヤロープ１６をフック装置にかけて連結することができる。連結具１８に休止用ワイヤロープ１６を連結させ、開閉用ワイヤロープ１２を巻き下げることで、ゲート１０を、開閉用ワイヤロープ１２に代わって、休止用ワイヤロープ１６により吊持させることで、ゲートは休止状態となる。
【００２５】
保持手段は、休止用ワイヤロープ１６と連結しそれを上方に引張する鋼製の補助ワイヤロープ２０ａと、補助ワイヤロープ２０ａの張力を支持する滑車２０ｂ及び重り（ウェイト）２０ｃとを有して構成される。滑車２０ｂは、巻上装置１４の設置位置近傍に設けられ、補助ワイヤロープ２０ａの引張方向を下向きに案内し、重り２０ｃは、補助ワイヤロープ２０ａの張力を支持する重さで滑車２０ｂを介して補助ワイヤロープ２０ａに吊り下げられる。
【００２６】
図４及び図５は、保持手段の構成例を示す図であり、補助ワイヤロープ２０ａの一端は、上方に延びる休止用ワイヤロープ１６の先端付近（好ましくは、連結具１８と連結する休止用ワイヤロープ１６の他端部分の直下）にワイヤクリップにより取り付けられる。滑車２０ｂは、放水路立坑上部に設置され、例えば、巻上装置１４の側面に固定されて取り付けられる。補助ワイヤロープ２０ａは、滑車２０ｂの外周にかけられ、下向きに案内される。下向きに垂れ下がった補助ワイヤロープ２０ａの先端には、重り２０ｃが吊り下げられ、補助ワイヤロープ２０ａの自重とバランスを取る。また、この補助ワイヤロープ２０ａは、パイプ等の筒状体の中を通して吊り下げておくと、風の影響を受けて大きく揺動することを未然に防止することができるので好ましい。
【００２７】
この保持手段２０の機構により、図４に示すように、休止用ワイヤロープ１６が連結具１８と連結されずに、その上方側の端部が自由端となっている場合も、休止用ワイヤロープ１６が垂れ下がることなく、休止用ワイヤロープ１６を立った状態に保持することができる。そして、図５に示すように、ゲート１０の上昇に伴って、休止用ワイヤロープ１６の上方先端部を放水路立坑上部まで上昇させ、連結具１８まで到達することで、放水路立坑上部において、休止用ワイヤロープ１６の連結作業が可能となる。
【００２８】
図６は、休止用ワイヤロープ１６と保持手段２０の位置関係を模式的に示す図である。図６（ａ）はゲート閉状態、図６（ｂ）はゲート開状態を示し、休止用ワイヤロープ１６の上方先端部が、放水路立坑上部にまで到達していない状態において、保持手段２０の重り２０ｃとのバランスにより、休止用ワイヤロープ１６を垂れ下げずに、上方に向けて立った状態に保持し、図６（ｃ）はゲート休止状態の位置において、休止用ワイヤロープ１６の上方先端部を放水路立坑上部にまで到達可能とする。なお、図６（ｄ）は、ゲート１０を放水路立坑上部の直下まで上げた状態を示す参考図である。
【００２９】
補助ワイヤロープ２０ａの張力の支持は、滑車２０ｂ及び重り２０ｃによる支持機構に限らず、例えば、放水路立坑上部に設置可能な別の小型の巻上装置などによって行うようにしてもよい。
【００３０】
上述したように、ゲートを放水路立坑上部の直下まで上昇させると、開閉用ワイヤロープ１２のほぼ全長を巻き取ることになり、巻上装置１４のドラムを大きくする必要があり、放水路立坑上部の格納小屋（放水路上屋）内で大きなスペースを占有することになる。これに対して、本発明を採用して、ゲート１０を放水路立坑の例えば中間位置付近で休止させる場合、開閉用ワイヤロープ１２を巻き取る長さは、ゲート１０を放水路立坑上部の直下まで上げる場合と比較して、ほぼ半分にすることができ、それに伴い、巻上装置１４のドラムも従来と比較して大幅に縮小することができる。これにより、巻上装置１４のコストの低減を図ることができるとともに、放水路立坑上部の格納小屋（放水路上屋）内でのより広い作業スペースを確保でき、作業の効率化を図ることができる。
【００３１】
また、本発明を採用することで、ゲートを放水路立坑の途中例えば中間位置付近で休止させる場合に、ゲート１０を吊り下げるワイヤロープを、開閉用ワイヤロープ１２から休止用ワイヤロープ１６に切り替える作業を、作業員が放水路立坑上部側で行うことができる。これは、放水路立坑の途中位置に昇降設備（足場）を組み、その足場上（すなわちゲート側）で作業員が作業を行う場合と比べても、休止作業のコストを大幅に低減でき、作業が容易であり、また、作業員の高い安全性も確保することができる。
【００３２】
本発明は、前記実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００３３】
１０：ゲート、１０ａ：動滑車、１０ｂ：固定部、１２：開閉用ワイヤロープ、１４：巻上装置、１６：休止用ワイヤロープ、１８：連結具、２０：保持手段、２０ａ：補助ワイヤロープ、２０ｂ：滑車、２０ｃ：重り
【図１】
0006513016.tif 000002
【図２】
0006513016.tif 000003
【図３】
0006513016.tif 000004
【図４】
0006513016.tif 000005
【図５】
0006513016.tif 000006
【図６】
0006513016.tif 000007
【図７】
0006513016.tif 000008